(57)【要約】【課題】ブリスタ−パックからの内容物の取り出しを簡易に検出すること。【解決手段】複数の収容部を備えたブリスターパックから内容物がどのようなタイミングで取り出されたかを検出する検出装置であって、前記ブリスタ−パックを配置する配置部材と、前記配置部材に配置された前記ブリスターパックの前記複数の収容部に光を射出する複数の光源と、前記光源から射出された光を受光すると共に受光強度に応じた電気信号を出力する複数の受光部と、前記複数の受光部から出力された電気信号に基づいて、前記収容部のそれぞれにおける内容物の有無を検出する検出手段と、を備えた検出装置。【選択図】  図１
2017191104.tif 000002
【特許請求の範囲】
【請求項１】
複数の収容部を備えたブリスターパックから内容物がどのようなタイミングで取り出されたかを検出する検出装置であって、
前記ブリスタ−パックを配置する配置部材と、
前記配置部材に配置された前記ブリスターパックの前記複数の収容部に光を射出する複数の光源と、
前記光源から射出された光を受光すると共に受光強度に応じた電気信号を出力する複数の受光部と、
前記複数の受光部から出力された電気信号に基づいて、前記収容部のそれぞれにおける内容物の有無を検出する検出手段と、
を備えた検出装置。
【請求項２】
前記ブリスターパックを配置する配置部材は、前記複数の収容部を収容する収容部材である請求項１に記載の検出装置。
【請求項３】
閉じた状態のときに、ブリスターパックを収容部材に向けて押さえる機能を有するカバーをさらに備えた請求項２に記載の検出装置。
【発明の詳細な説明】
【技術分野】
【０００１】
本発明は、ブリスターパックからの内容物の取出しを検出する検出装置に関する。
【背景技術】
【０００２】
特許文献１には、ブリスターパックにおいて内容物が収容される透明なカップを挟んで対向する位置に配置された赤外線送信機から赤外線受信機に向けて赤外光が射出されることにより、カップ内に内容物があるか否かを検知する装置が開示されている。
【先行技術文献】
【特許文献】
【０００３】
【特許文献１】特開昭５８−２０６２８号公報
【発明の概要】
【発明が解決しようとする課題】
【０００４】
上記の包装品検査装置は、あくまでも製造工程において、カップへの錠剤の充填を検査するために用いられる大型の検査装置であり、ブリスタ−パックからの内容物の取り出しを簡易に検出することができなかった。
【０００５】
本発明の目的は、上述の課題を解決する技術を提供することにある。
【課題を解決するための手段】
【０００６】
上記目的を達成するため、本発明に係る検出装置は、
複数の収容部を備えたブリスターパックから内容物がどのようなタイミングで取り出されたかを検出する検出装置であって、
前記ブリスタ−パックを配置する配置部材と、
前記配置部材に配置された前記ブリスターパックの前記複数の収容部に光を射出する複数の光源と、
前記光源から射出された光を受光すると共に受光強度に応じた電気信号を出力する複数の受光部と、
前記複数の受光部から出力された電気信号に基づいて、前記収容部のそれぞれにおける内容物の有無を検出する検出手段と、
を備えた。
【発明の効果】
【０００７】
本発明によれば、ブリスタ−パックからの内容物の取り出しを簡易に検出することができる。
【図面の簡単な説明】
【０００８】
【図１】第一実施形態に係るブリスターパックの内容物検知装置のカバーを閉じた状態の斜視図である。
【図２】ブリスターパックの内容物検知装置のカバーを開いた状態の斜視図である。
【図３】カバーを開いた状態の前記ブリスターパックの内容物検知装置にブリスターパックを配置した状態の斜視図である。
【発明を実施するための形態】
【０００９】
以下、本発明の実施形態について、図１〜図３を参照しつつ説明する。
【００１０】
本発明に係るブリスターパックの内容物検知装置（以下、単に「内容物検知装置」と称する。）は、図３に示すような、複数の収容部９１を有するブリスターパック９における収容部９１毎の内容物９２の有無を検知する。本実施形態のブリスターパック９は、いわゆるＰＴＰ（press through pack）シートであり、収容部９１に収容されている内容物９２は、錠剤である。このブリスターパック９は、透明な樹脂シート９０に熱成形して作った複数の窪み（収容部）９１のそれぞれに内容物（本実施形態の例では、中央部が外側に膨出した円盤状の錠剤）９２を入れ、収容部９１の開口をアルミ箔等の比較的破れやすいシート９３で覆い、収容部９１の周辺部を接着またはシール等で固定することにより形成されている。
【００１１】
内容物検知装置は、図１〜図３に示すように、検知対象物であるブリスターパック９の収容部９１に応じた電気信号を出力する検知部（検知装置）と、検知部からの電気信号を受信してブリスターパック９の収容部９１内の内容物９２の有無を検出する検出部２５と、を備える。
【００１２】
検知部は、ブリスターパック９の収容部９１が収容される内壁面２２０を有する収容部材２２と、光を射出する光源２３と、光を受光すると共に受光強度に応じた強度の電気信号を出力する受光部２４と、を備える。
【００１３】
具体的に、内容物検知装置１は、厚板状の装置本体２と、装置本体２の一方の面を覆うことができるカバー（押圧部）３と、を備える。
【００１４】
装置本体２は、筐体２１と、内壁面２２０を有する収容部材２２と、光源２３と、受光部２４と、検出部２５と、を有する。収容部材２２は、複数の内壁面２２０を有する。複数の内壁面２２０のそれぞれは、ブリスターパック９の複数の収容部９１と対応する位置に配置されている。
【００１５】
収容部材２２は、矩形の板状であり、かつ厚さ方向に貫通する複数（ブリスターパック９の収容部９１の数に対応した数）の貫通孔を有する部材本体２６と、貫通孔の一方の開口を塞ぐ基板２７と、を有する。本実施形態の収容部材２２では、貫通孔の周面部２６２と、基板２７における貫通孔の一方の開口を塞ぐ部位（閉塞部）２７１と、によって内壁面２２０が構成されている（図２参照）。即ち、複数の内壁面２２０のそれぞれは、周面部２６２と閉塞部２７１とを有する。本実施形態の内壁面２２０は、開口を有すると共に、ブリスターパック９の収容部９１が開口から挿入される。
【００１６】
また、基板２７に、光源２３と、受光部２４が周面部２６２の径方向に対向する位置にそれぞれ設けられている。
【００１７】
光源２３は、光（赤外領域から紫外領域までの波長のうちの所定の波長の光）を射出する。この光源２３は、単波長の光を射出する。このように、射出される光の波長域を狭くすることで、受光部２４で受光したときの外乱光の影響を除去し易くなる。本実施形態の光源２３は、赤外領域の波長の光を射出する。本実施形態の光源２３は、ＬＥＤである。
【００１８】
受光部２４は、いわゆる受光素子であり、受光面で受光した光の強度に応じた強度の電気信号を出力する。本実施形態の受光部２４は、光源２３から射出された光を受光する。この受光部２４は、周面部２６２における光源２３と対向する位置に配置されている。
【００１９】
検出部２５は、基板２７に実装されている。この検出部２５は、受光部２４から受信した電気信号の強度が所定の閾値を超えるか否かでブリスターパック９の収容部９１内の内容物９２の有無を検出する。本実施形態の検出部２５は、一つの内壁面２２０と、この内壁面２２０に対応する光源２３および受光部２４とを一つの検知ユニットとしたときに、複数の検知ユニットのそれぞれから電気信号を受信すると共に、検知ユニット毎の収容部９１内の内容物９２の有無を検出する。
【００２０】
検出部２５は、検出結果を、スマートフォン等の外部機器に向けて電波により出力する。このスマートフォン等に所定の服薬管理用のソフトをインストールしておくことで、検出結果を受信したスマートフォンで、服薬管理を行うことができる。即ち、ブリスターパック９の複数の収容部９１のうちのいずれの収容部９１内の内容物９２が無いかが検出できるため、例えば、毎日所定個数の錠剤を服薬したか否かや、所定時間ごとに錠剤を服薬したか否か等の管理を行うことができる。
【００２１】
なお、内容物検知装置１からの出力情報を受信する前記の外部機器は、スマートフォンに限定されず、ＰＤＡ等の携帯端末、ＰＣ、服薬管理専用端末等でもよい。また、外部機器は、内容物検知装置１の使用場所から離れた場所に設置されてＬＡＮやインターネット等を経由して接続されるサーバ等であってもよい。即ち、外部機器は、収容部９１毎の内容物９２の有無についての情報を利用する機器であればよい。また、本実施形態の内容物検知装置１は、無線接続によって、外部機器に収容部９１毎の内容物９２の有無についての情報を出力しているが、有線接続によって、外部機器に収容部９１毎の内容物９２の有無についての情報を出力する構成でもよい。
【００２２】
カバー３は、板状の部材であり、矩形板状の装置本体２の長辺に、該長辺に沿った軸を回動軸として回動可能に取り付けられている。本実施形態のカバー３は、閉じた状態のときに、ブリスターパック９を収容部材２２に向けて押さえる機能を有する。
【００２３】
以上のように構成される内容物検知装置１は、以下のように使用される。
【００２４】
カバー３が開かれ（図２参照）、各収容部９１が収容されるようにブリスターパック９が収容部材２２上に配置される。ブリスターパック９が配置されると、カバー３が閉じられる。このカバー３が閉じたことを装置本体２が検知することで、または、スイッチ等が操作されることで、複数の検知ユニットのそれぞれにおいて、光源２３が光を射出すると共に、受光部２４が光を受光する。複数の受光部２４のそれぞれは、受光強度に応じた強度の電気信号を検出部２５にそれぞれ出力する。検出部２５は、各受光部２４から受信した電気信号の強度が閾値を超えるか否かで、検知ユニット毎、即ち、ブリスターパック９の収容部９１毎の内容物９２の有無をそれぞれ検出し、検出結果を電波で出力する。
【００２５】
以上の内容物検知装置１では、光源２３から射出された光を受光部２４によって受光したときに、受光強度が変化することを利用して、ブリスターパック９の収容部９１の内容物９２の有無を検知する。即ち、内容物検知装置１では、光源２３と受光部２４との間にブリスターパック９の一部（例えば、内容物９２を押し出した後の潰れた状態の収容部や、収容部９１の開口を塞いでいたシート）があっても、収容部９１内の内容物９２の有無を検知することができる。
【００２６】
具体的には、本実施形態の内容物検知装置１では、受光部２４から出力される電気信号の強度に対する適切な閾値を設定し、検出部２５において受光部２４から受信した電気信号の強度がこの閾値を超えるか否かでブリスターパック９の収容部９１内の内容物９２の有無を検出する構成とすることで、光源２３と、この光源２３から射出された光を受光する受光部２４との間、即ち、光源２３から受光部２４に向かう光の軌道上に物体（ブリスターパック９の一部）があったとしても、収容部９１内の内容物９２の有無を検知することができる。
【００２７】
本実施形態の内容物検知装置１では、検出部２５が複数の検知ユニット（一つの内壁面２２０と、この内壁面２２０に対応する光源２３および受光部２４）のそれぞれから電気信号を受信すると共に、検知ユニット毎の収容部９１内の内容物９２の有無を検出しているため、複数の収容部９１を有するブリスターパック９の収容部９１毎の内容物９２の有無を検知することができる。
【００２８】
また、本実施形態の内容物検知装置１では、周面部２６２が、円柱面状であり、光源２３と受光部２４とが、周面部２６２において、該周面部２６２の径方向に対向する位置に配置されている。このため、受光部２４が周面部２６２の周方向において光源２３から最も離れた位置に配置される。
【００２９】
上記実施形態のブリスターパックの内容物検知装置１では、ブリスターパック９の収容部９１が透明であるが、この構成に限定されない。収容部９１は不透明でもよい。
【図１】
2017191104.tif 000003
【図２】
2017191104.tif 000004
【図３】
2017191104.tif 000005